(57)【要約】【課題】充填コンクリート硬化後の充填性確認孔からの栓材の取外し作業を排除することができて作業負担を軽くすることができるＣＦＴのコンクリート充填性確認孔の閉塞構造を提供する。【解決手段】ＣＦＴ柱１の鋼管２に設けられたコンクリート充填性確認孔４を塞いでいる栓材５が、火災時の熱で融けて確認孔４を開放する性質のものからなっている。【選択図】　　　図１
2004124426.tif 000002
【特許請求の範囲】
【請求項１】
ＣＦＴの鋼管に設けられたコンクリート充填性確認孔を塞いでいる栓材が、火災時の熱で融けて確認孔を開放する性質のものからなっていることを特徴とするＣＦＴのコンクリート充填性確認孔の閉塞構造。
【請求項２】
ＣＦＴの鋼管に設けられたコンクリート充填性確認孔を塞いでいる栓材が、充填コンクリート中のアルカリで劣化及び／又は分解し確認孔を開放する性質のものからなっているＣＦＴのコンクリート充填性確認孔の閉塞構造。
【請求項３】
ＣＦＴの鋼管に設けられたコンクリート充填性確認孔を閉塞している栓材が、微生物の生分解作用で分解し確認孔を開放する性質のものからなっていることを特徴とするＣＦＴのコンクリート充填性確認孔の閉塞構造。
【請求項４】
ＣＦＴの鋼管に設けられたコンクリート充填性確認孔を塞いでいる栓材が、取外しを行わなくとも確認孔を開放する性質のものからなっていることを特徴とするＣＦＴのコンクリート充填性確認孔の閉塞構造。
【請求項５】
コンクリート充填性確認孔を備えた弾力性を有するベース材が、ＣＦＴの鋼管に設けられたコンクリート充填性確認孔に嵌め付けられ、栓材がベース材の弾力性を利用してその確認孔に嵌め込まれることで、ＣＦＴの鋼管のコンクリート充填性確認孔が塞がれ、かつ、
ベース材及び／又は栓材が、火災時の熱で融けて鋼管の確認孔を開放する性質のものからなっていることを特徴とするＣＦＴのコンクリート充填性確認孔の閉塞構造。
【発明の詳細な説明】
【０００１】
【発明の属する技術分野】
本発明は、ＣＦＴ（コンクリート充填鋼管）のコンクリート充填性確認孔の閉塞構造に関する。
【０００２】
【従来の技術】
例えばＣＦＴ柱では、鋼管内に圧入したコンクリートが未だ硬化していない状態において、鋼管の周壁に明けられている確認孔を通じ、鋼管内にコンクリートが適正に充填されているかどうかを確認することが行われるが、この確認孔は、充填性確認後に、充填コンクリートが外に漏れ出さないよう、栓材で閉塞され、更に、充填コンクリートが硬化した後は、火災時に充填コンクリートからの蒸気を逃がすことができるよう、確認孔から栓材を取り外す必要がある。なお、そのような栓材として、従来は木栓が用いられたり、あるいは、確認孔の周囲に予めナットを溶接で取り付けておき、ナットに栓材としてのボルトを螺合して確認孔を閉塞することが行われていた。
【０００３】
【発明が解決しようとする課題】
しかしながら、上記のような構造では、確認孔への栓材取付け後に、更にその栓材の取外しを行わなければならず、作業が厄介であるという問題があった。特に確認孔が高所に存在するような場合は、栓材の取外しだけのためにわざわざ高所に登って栓材の取外しを行わなければならず、作業の安全性が危惧されるという問題もあった。
【０００４】
本発明は、上記のような従来の問題点に鑑み、充填コンクリート硬化後の栓材の取外し作業を排除することができて、作業負担を軽くすることができるＣＦＴのコンクリート充填性確認孔の閉塞構造を提供することを課題とする。
【０００５】
【課題を解決するための手段】
上記の課題は、ＣＦＴの鋼管に設けられたコンクリート充填性確認孔を塞いでいる栓材が、火災時の熱で融けて確認孔を開放する性質のものからなっていることを特徴とするＣＦＴのコンクリート充填性確認孔の閉塞構造によって解決される。
【０００６】
この構造では、充填コンクリートが硬化した後に栓材の取外しを行わなくても、栓材は、火災時の熱で融けて確認孔を開放するから、火災時に充填コンクリートからの蒸気を確認孔を通じて鋼管の外に逃がすことができ、従って、充填コンクリート硬化後の栓材の取外し作業を排除することができて、作業負担を軽くすることができる。
【０００７】
また、ＣＦＴの鋼管に設けられたコンクリート充填性確認孔を塞いでいる栓材が、充填コンクリート中のアルカリで劣化及び／又は分解し確認孔を開放する性質のものからなっているＣＦＴのコンクリート充填性確認孔の閉塞構造によっても解決される。
【０００８】
この構造では、充填コンクリートが硬化した後に栓材の取外しを行わなくても、栓材は、時間の経過とともにコンクリート中のアルカリで劣化及び／又は分解され、確認孔を開放するから、火災時に充填コンクリートからの蒸気を確認孔を通じて鋼管の外に逃がすことができ、従って、充填コンクリート硬化後の栓材の取外し作業を排除することができて、作業負担を軽くすることができる。
【０００９】
更に、上記の課題は、ＣＦＴの鋼管に設けられたコンクリート充填性確認孔を閉塞している栓材が、微生物の生分解作用で分解し確認孔を開放する性質のものからなっていることを特徴とするＣＦＴのコンクリート充填性確認孔の閉塞構造によっても解決される。
【００１０】
この構造では、充填コンクリートが硬化した後に栓材の取外しを行わなくても、栓材は、時間の経過とともに微生物の生分解作用で分解し、確認孔を開放するから、火災時に充填コンクリートからの蒸気を確認孔を通じて鋼管の外に逃がすことができ、従って、充填コンクリート硬化後の栓材の取外し作業を排除することができて、作業負担を軽くすることができる。
【００１１】
また、上記の課題は、ＣＦＴの鋼管に設けられたコンクリート充填性確認孔を塞いでいる栓材が、取外しを行わなくとも確認孔を開放する性質のものからなっていることを特徴とするＣＦＴのコンクリート充填性確認孔の閉塞構造によって解決される。即ち、アルカリによる劣化及び／又は分解、微生物の生分解作用による分解をはじめ、栓材に形状記憶樹脂を用いることによる火災時の熱による変形による確認孔の開放や変形脱落による確認孔の開放など、要は、栓材が、取外しを行わなくとも確認孔を開放する性質のものからなる場合である。
【００１２】
この構造では、充填コンクリートが硬化した後に栓材の取外しを行わなくても、栓材は確認孔を開放するから、火災時に充填コンクリートからの蒸気を確認孔を通じて鋼管の外に逃がすことができ、従って、充填コンクリート硬化後の栓材の取外し作業を排除することができて、作業負担を軽くすることができる。
【００１３】
また、上記の課題は、コンクリート充填性確認孔を備えた弾力性を有するベース材が、ＣＦＴの鋼管に設けられたコンクリート充填性確認孔に嵌め付けられ、栓材がベース材の弾力性を利用してその確認孔に嵌め込まれることで、ＣＦＴの鋼管のコンクリート充填性確認孔が塞がれ、かつ、
ベース材及び／又は栓材が、火災時の熱で融けて鋼管の確認孔を開放する性質のものからなっていることを特徴とするＣＦＴのコンクリート充填性確認孔の閉塞構造によって解決される。なお、この閉塞構造は、請求項１の閉塞構造の下位概念として認識すべきもので、請求項１にいう栓材と、本構造における栓材とはその意味を異にしているだけで、技術的範囲に属するものである。
【００１４】
この構造では、充填コンクリートが硬化した後に栓材の取外しを行わなくても、ベース材及び／又は栓材は火災時の熱で融けて確認孔が開放されるから、火災時に充填コンクリートからの蒸気を鋼管の確認孔を通じて鋼管の外に逃がすことができ、従って、充填コンクリート硬化後の栓材やベース材の取外し作業を排除することができて、作業負担を軽くすることができる。
【００１５】
しかも、本構造では、ベース材をコンクリート充填前に予め鋼管の確認孔に嵌め付け、コンクリートの充填性はベース材の確認孔で確認し、確認後は、ベース材の確認孔を栓材で塞ぐというようにすることができる。従って、鋼管の確認孔へのベース材の嵌付けを、充填コンクリートに邪魔されることなく容易に行うことができると共に、ベース材の弾力性を利用して容易に行うことができる。また、栓材の取付けも、充填性確認後にベース材の弾力性を利用してその確認孔に嵌め込むだけでよく、容易に行うことができる。
【００１６】
なお、ベース材及び／又は栓材は、コンクリート中のアルカリで分解し鋼管の確認孔を開放する性質のものからなっていてもよいし、微生物による生分解作用で分解する性質のものからなっていてもよいし、取外しを行わなくとも確認孔を開放するその他の性質のものからなっていてもよい。この場合の閉塞構造は、請求項２，３，４の閉塞構造の下位概念として認識すべきもので、その技術的範囲に属するものである。
【００１７】
【発明の実施の形態】
次に、本発明の実施形態を図面に基づいて説明する。
【００１８】
図１及び図２に示す第１実施形態の閉塞構造において、１はＣＦＴ柱、２は鋼管、３は充填コンクリート、４は確認孔、５は栓材である。
【００１９】
コンクリート３の充填性の確認は、図２（イ）に示すように、確認孔４の明けられた鋼管２を現場に設置したのち、図２（ロ）に示すように、鋼管２内にコンクリート３を充填し、確認孔４を通じて行う。しかる後、図２（ハ）に示すように、確認孔４を栓材５で閉塞してコンクリート３の流出を防ぎ、図２（ニ）に示すように、充填コンクリート３を硬化させていく。
【００２０】
上記の栓材５は、弾力性を有する定形材からなっていて、図１（ロ）（ハ）に示すように、確認孔４よりも小さい断面サイズの基部６の一端に、確認孔４のサイズよりも大きく側方に張り出たつば状の抜止め部７を備え、かつ、基部６の外周に、確認孔４のサイズよりも大きく側方に張り出たヒレ８を備えている。
【００２１】
この栓材５をその弾力性を利用して鋼管２の外側から確認孔４に嵌め込むと、抜止め部７が、鋼管内面側に位置して未硬化の充填コンクリート３によって栓材５が鋼管２の外に抜けてしまうのを防ぐと共に、充填コンクリート３からの圧力を受けて確認孔４をしっかりと塞ぐ。また、ヒレ８によって、確認孔４への栓材５の嵌込みを容易に行うことができると共に、ぐらつきのない安定した嵌込み状態を得ることができ、更に、充填コンクリートの流出を二次的に防ぐことができる。
【００２２】
そして、この栓材５は、火災時の熱で融けて確認孔４を開放する性質のものからなっており、図２（ニ）に示すように、充填コンクリート３が硬化した後も栓材５を取り外すことなく確認孔４に取り付けたままにしておいても、図２（ホ）に示すように、火災１０が発生すると、その熱で栓材５は融け、それにより確認孔４が開放され、充填コンクリート３からの蒸気１１は鋼管２の外に逃げることができる。従って、充填コンクリート３が硬化した後の栓材５の取外し作業を排除することができて、作業負担を軽くし、作業の安全を高めることができる。なお、そのような性質を備えた栓材５としては、例えば、塩化ビニル樹脂、酢酸ビニル樹脂、クロロプレンゴム、ウレタンゴムからなるものなどが挙げられるが、そのようなものに限られる訳ではない。
【００２３】
また、上記の栓材５は、コンクリート３中のアルカリで劣化及び／又は分解し確認孔４を開放する性質のものからなっているのもよい。この場合は、充填コンクリート３が硬化した後も栓材５を取り外すことなく確認孔４に取り付けたままにしておいても、栓材５は、時間の経過とともに充填コンクリート３中のアルカリによって分解され、確認孔４を開放する。よって、火災時に充填コンクリート３からの蒸気を鋼管２の外に逃がすことができ、従って、充填コンクリート３の硬化後の栓材５の取外し作業を排除することができて、作業負担を軽くし、また、確認孔４が高所に存在するような場合の作業の安全性向上を図ることができる。なお、そのような性質を備えた栓材５としては、例えば、アルキド樹脂、アルカリ分解樹脂からなるものなどが挙げられるが、そのようなものに限られる訳ではない。
【００２４】
また、上記の栓材５は、微生物の働きによる生分解作用で分解し確認孔を開放する性質のものからなっていてもよい。この場合は、充填コンクリート３が硬化した後も栓材５を取り外すことなく確認孔４に取り付けたままにしておいても、栓材５は、時間の経過とともに微生物の働きによる生分解作用で分解していき、確認孔４を開放する。こうして確認孔４が開放されることで、火災時に充填コンクリート３からの蒸気を鋼管２の外に逃がすことができ、従って、充填コンクリート３の硬化後の栓材５の取外し作業を排除することができて、作業負担を軽くし、作業の安全を高めることができる。なお、そのような性質を備えた栓材５としては、例えば、生分解プラスチックからなるものなどが挙げられるが、そのようなものに限られる訳ではない。
【００２５】
図３（イ−１）（イ−２）に示す第２実施形態の閉塞構造では、栓材５として、基部６の一端に確認孔４のサイズよりも大きく側方に張り出たつば状の抜止め部７が備えられると共に、基部６の他端に確認孔４のサイズよりも大きく側方に張り出たつば状の落込み規制部９が備えられており、ヒレは省略され、基部６は確認孔４の断面サイズと同等かわずかに小さなサイズに形成されている。
【００２６】
この栓材５は、その弾力性を利用して鋼管２の外側から確認孔４に嵌め込むと、抜止め部７が鋼管内面側に位置すると共に、落込み規制部９が鋼管外周側に位置し、未硬化の充填コンクリート３によって栓材５が鋼管２の外に抜けてしまうのが防がれると共に、嵌め込み時に栓材５を誤って鋼管２内に落とし込んでしまうのが防がれる。
【００２７】
なお、図３（ロ−１）（ロ−２）に示すように、肉厚寸法の異なる鋼管２に対しては、それ用に用意した栓材５で確認孔４を塞ぐようにすればよい。
【００２８】
図４及び図５に示す第３実施形態の閉塞構造は、図４に示すように、コンクリート充填性確認孔１４を備えた弾力性を有するベース材１３が鋼管２のコンクリート充填性確認孔４に嵌め付けられ、栓材１６がベース材１３の弾力性を利用してその確認孔１４に嵌め込まれることで、鋼管２のコンクリート充填性確認孔４が塞がれるようになされたものである。
【００２９】
ベース材１３は、第１実施形態で用いた形態の栓材の基部の軸芯部に確認用の貫通孔が備えられた形態をしており、栓材１６はこの確認孔１４に途中まで填り込んでベース材１３の確認孔１４を塞ぐ錐状部１６ａを備えている。そして、ベース材１３は、火災時の熱で融けて鋼管２の確認孔４を開放する性質のものからなっており、栓材１６は、火災時の熱で融けるものであってもよし、弾力性を有するものからなっていてもよいが、本実施形態では火災時の熱で融けない性質の硬質材からなっている。
【００３０】
この閉塞構造では、図５（イ）に示すように、ベース材１３を予め工場などで鋼管２の確認孔４に嵌め付けたうえで、この鋼管２を現場に設置し、コンクリート３の充填性は、図５（ロ）に示すように、ベース材１３の確認孔１４で確認し、確認後は、図５（ハ）に示すように、ベース材１３の確認孔１４を栓材１６で塞ぐというようにする。これにより、鋼管２の確認孔４へのベース材１３の嵌付けを、充填コンクリート３に邪魔されることなく容易に行うことができると共に、ベース材１３の弾力性を利用して容易に行うことができる。また、栓材１６の取付けも、充填性確認後にベース材１３の弾力性を利用してその確認孔１４に嵌め込むだけで容易に行うことができる。
【００３１】
そして、この構造では、図５（ニ）に示すように充填コンクリート３が硬化した後に、栓材１６の取外しを行わなくても、火災が起こると、図５（ホ）に示すように、ベース材１３が火災時の熱で融け、栓材１６は抜け落ち、鋼管２の確認孔４が開放されるから、火災時に充填コンクリート３からの蒸気１１を鋼管２の外に逃がすことができ、従って、充填コンクリート３の硬化後の栓材１６やベース材１３の取外し作業を排除することができて、作業負担を軽くし、作業の安全を高めることができる。
【００３２】
以上に、本発明の実施形態を示したが、本発明はこれに限られるものではなく、発明思想を逸脱しない範囲で、各種の変更が可能である。例えば、上記の実施形態では、ＣＦＴ柱に適用した場合を示しているが、本発明は、梁などの横架材や、斜材などに用いられるＣＦＴに適用することも可能である。また、栓材やベース材の形態については種々変更されうるものであり、図示した形態に限定されるものではない。また、第１，第２実施形態のタイプの閉塞構造において、栓材は、弾力性を有する材料と有しない材料との複合材からなっていてもよいし、形態は異ならせる必要があるが、弾力性を有しない硬質材で構成されていてもよい。
【００３３】
【発明の効果】
本発明は、以上のとおりのものであるから、充填コンクリート硬化後の栓材の取外し作業を排除することができて、作業負担を軽くすることができる。
【図面の簡単な説明】
【図１】第１実施形態の確認孔閉塞構造を示すもので、図（イ）はＣＦＴ柱の縦断面図、図（ロ）は栓材を確認孔に取り付けた状態を示す断面図、図（ハ）は確認孔への栓材の取付け方法を示す断面図である。
【図２】図（イ）〜図（ホ）は鋼管の設置からコンクリートの充填、充填性の確認、確認孔の閉塞、充填コンクリートの硬化、火災時の状況を順次に示す断面図である。
【図３】第２実施形態にかかるもので、図（イ−１）は栓材の取付け状態、図（イ−２）はその取付け方法、図（ロ−１）は肉厚寸法の異なる鋼管の確認孔への栓材の取付け状態、図（ロ−２）はその取付け方法を示す断面図である。
【図４】図（イ）は第３実施形態の確認孔閉塞構造を示す断面図、図（ロ−１）及び図（ロ−２）はそれぞれ、ベース材と栓材の取付け方法を順次に示す断面図である。
【図５】図（イ）〜図（ホ）は鋼管の設置からコンクリートの充填、充填性の確認、確認孔の閉塞、充填コンクリートの硬化、火災時の状況を順次に示す断面図である。
【符号の説明】
１…ＣＦＴ柱（ＣＦＴ）
２…鋼管
３…充填コンクリート
４…確認孔
５…栓材
１３…ベース材
１４…確認孔
１６…栓材
【図１】
2004124426.tif 000003
【図２】
2004124426.tif 000004
【図３】
2004124426.tif 000005
【図４】
2004124426.tif 000006
【図５】
2004124426.tif 000007